(57)【要約】【課題】本願発明は、医師等の治療法の選定のための情報収集において、収集の客観性を担保し、最適な治療の選択を可能とする。【解決手段】本願発明に係る治療法選定支援システムでは、状況入力部１が、候補となる治療法の選定に必要な患者の身体状況等の療法特定事項の入力を受け付け、治療法情報格納部２が各種治療法についての情報を格納し、治療法検索部３が上記治療法特定事項の各入力パターンと対応する治療法について治療法情報格納部２を参照して該当する治療法の情報を特定し、文献情報格納部４が治療法が記載された文献についての情報を格納し、文献情報検索部５が文献情報格納部４を参照して治療法検索部３が特定した治療法の情報と対応する各文献の情報を取得し当該文献の情報を表示部６に表示させる。【選択図】          図１
2004302771.tif 000002
【特許請求の範囲】
【請求項１】
コンピュータを利用して構成される、状況入力部と、治療法情報格納部と、治療法検索部と、文献情報格納部と、文献情報検索部と、表示部とを備えるものであり、
状況入力部は、候補となる治療法の選定に必要な、患者の身体状況等の、治療法特定事項の入力を受け付けるものであり、
治療法情報格納部は、各種治療法についての情報を格納し、
治療法検索部は、上記治療法特定事項の各入力パターンと対応する治療法について、治療法情報格納部を参照して、該当する治療法の情報を特定するものであり、
文献情報格納部は、治療法が記載された文献についての情報を格納し、
文献情報検索部は、文献情報格納部を参照して、治療法検索部が特定した少なくとも１つの治療法の情報と対応する、各文献の情報を取得し、当該文献の情報を表示部に表示させるものであることを特徴とする治療法選定支援システム。
【請求項２】
上記治療法情報格納部は、上記治療法についての情報として、各種治療法の識別子を格納し、
上記治療法検索部は、治療法情報格納部を参照して、治療法情報格納部が格納する治療法の識別子の中から、状況入力部にて受け付けた入力パターンと対応する治療法の識別子を特定するものであり、
上記文献情報格納部は、上記の治療法が記載された文献についての情報として、当該文献の文献名等の文献特定事項を格納するものであることを特徴とする請求項１記載の治療法選定支援システム。
【請求項３】
上記の表示部は、治療法検索部が治療法情報格納部を参照して特定した治療法についての情報を表示し、文献情報検索部は、当該表示部に表示した治療法についての情報から、特定の治療法についての情報の指定を受け付けるものであり、
文献情報検索部は、文献情報格納部を参照して、上記にて指定された治療法の情報と対応する、各文献の情報を取得し、当該文献の情報を表示部に表示させるものであることを特徴とする請求項１又は２記載の治療法選定支援システム。
【請求項４】
上記の文献情報格納部は、上記文献特定事項と共に、当該文献について、他の治療法との優劣といった文献の記載内容についての情報と、文献自体の信頼性についての情報とを、文献選択の支援情報として格納するものであり、
上記の文献情報検索部は、文献情報格納部を参照して、治療法検索部が特定した各識別子と対応する各文献の文献特定事項と共に、上記支援情報を取得し、当該文献特定事項と支援情報とを表示部に表示させるものであることを特徴とする請求項３記載の治療法選定支援システム。
【請求項５】
上記の状況入力部は、医薬投与療法の対象となる特定の疾患について、候補となる治療法の選定に必要な、患者の身体状況等の、療法特定事項の入力を受け付けるものであり、
治療法情報格納部が格納する治療法についての情報は、医薬投与療法に関するものであることを特徴とする請求項１乃至４の何れかに記載の治療法選定支援システム。
【請求項６】
コンピュータへ導入されることにより、状況入力部と、治療法情報格納部と、治療法検索部と、文献情報格納部と、文献情報検索部と、表示部とを構築するものであり、
状況入力部は、候補となる治療法の選定に必要な、患者の身体状況等の、療法特定事項の入力を受け付けるものであり、
治療法情報格納部は、各種治療法についての情報を格納し、
治療法検索部は、上記治療法特定事項の各入力パターンと対応する治療法について、治療法情報格納部を参照して、該当する治療法の情報を特定するものであり、
文献情報格納部は、治療法が記載された文献についての情報を格納し、
文献情報検索部は、文献情報格納部を参照して、治療法検索部が特定した治療法の情報と対応する、各文献の情報を取得し、当該文献の情報を表示部に表示させることを可能とする治療法選定支援プログラム。
【発明の詳細な説明】
【０００１】
【発明の属する技術分野】
本願発明は、治療法選定支援システム及びそのプログラムに関し、詳しくは、ＥＢＭ（Ｅｖｉｄｅｎｃｅ−ｂａｓｅｄ  ｍｅｄｉｃｉｎｅ  ）を実践するのに適した治療法選定支援システム及びそのプログラムに関する。
【０００２】
【従来の技術】
医師が患者の治療のために情報を収集する過程について検討すると、医師は、先ず病状から、自己の経験に基づき適切と思われる治療法を検討し、当該治療法に則して、その文献に当り、詳しい情報を得るものである。従って、他に適切な治療法があっても、その医師が知っている治療法についての情報のみが、当該医師によって収集されることになる。
また、このような事態は、経験の浅い医師が適切な治療法を熟知していない場合のみならず、適切な治療法が発見され又確立されたのが最近である場合に医師が、そのような治療法についての情報を未だ得ていないという場合にも生じるものであり、特定の医師や薬剤師の問題ではなく、医療界において、一般的な傾向である。
【０００３】
一方、治療法に関する情報や、治療法については、インターネットを利用して、各種医療機関や医療関連期間のサイトを検索することが可能であるが、膨大な情報から適切な情報を抽出する作業は、簡単なものではない。また、ユーザ個人の病気情報は個々の病気に応じて受診した病院のカルテに保存され、また、病気に至らない健康情報は個々人が結果一覧表やメモ等に保存する程度であるため、結果一覧表やメモ等が散逸してしまい易く適切なそのような情報が適切に活用されていない。このような問題点を改善するために、インターネット上でユーザが知りたい健康・病気に関する情報を簡単に得ることができる、コンピュータを利用した種々のシステムが提案されている（特許文献１）。
【０００４】
しかし、医師や薬剤師といった専門家が、治療法を選定するに当り、その詳細な情報の収集のために、このようなシステムを利用するとしても、自己が知得している治療法を手がかりとするものであり、適切な治療法の選定にどうしても、医師の経験にたよる偏向した検索になりがちである。このため、上記のシステムを利用したとしても、必ずしも、客観的な治療法に関する情報の選定を行うものではない。
【０００５】
また、上記の他に、治療法決定の支援の方法として、治療法において選択されるいくつかの行為と、その行為によって生じうるいくつかの事象とをそれぞれ枝とし、その各枝の生起確率と被験者の意思が反映される効用値とから、各行為の期待値を算出することからなり、上記生起確率が被験者の属性情報によって較正可能としたものが、提案されている（特許文献２）。
【０００６】
このシステムは、医師が治療法の決定を短時間で行うことを支援すると共に、治療法の選定にあたり、患者の意思を反映させようとするものである。
しかし、このシステムにおいても、医師が治療法を選定するに当り、治療法についての客観性を担保しようとするものではない。
即ち、最適な治療法の選定に当たって、収集する情報を客観的なものとし且つ偏りのないものとしようとするものではない。
従って、最適な治療法を確認し或いはその詳細を習得する場合など、医師が文献を調べるのに、客観性を担保して、医師の判断を偏りのないものとするのに適したシステムは、未だ実現されていない。
【０００７】
【特許文献１】
特開２００３−２２３２５号公報
【特許文献２】
特開平１１−３５３１８３号公報
【０００８】
【発明が解決しようとする課題】
そこで、本願発明は、医師等の医療従事者が治療法の選定のための情報収集を行うに際して、当該情報収集の客観性を担保し、最適な治療法を選択するのを支援するシステムの提供を図るものである。
【０００９】
【課題を解決するための手段】
本願第１の発明に係る治療法選定支援システムは、コンピュータを利用して構成される、状況入力部１と、治療法情報格納部２と、治療法検索部３と、文献情報格納部４と、文献情報検索部５と、表示部６とを備える。状況入力部１は、候補となる治療法の選定に必要な、患者の身体状況等の、治療法特定事項の入力を受け付けるものである。治療法情報格納部２は、各種治療法についての情報を格納する。治療法検索部３は、上記治療法特定事項の各入力パターンと対応する治療法について、治療法情報格納部２を参照して、該当する治療法の情報を特定するものである。文献情報格納部４は、治療法が記載された文献についての情報を格納する。文献情報検索部５は、文献情報格納部４を参照して、治療法検索部３が特定した少なくとも１つの治療法の情報と対応する、各文献の情報を取得し、当該文献の情報を表示部６に表示させるものである。
【００１０】
本願第２の発明に係る治療法選定支援システムでは、上記本願第１の発明に係る治療法選定支援システムにあって、上記治療法情報格納部２は、上記治療法についての情報として、各種治療法の識別子を格納する。上記治療法検索部３は、治療法情報格納部２を参照して、治療法情報格納部２が格納する治療法の識別子の中から、状況入力部にて受け付けた入力パターンと対応する治療法の識別子を特定するものである。上記文献情報格納部４は、上記の治療法が記載された文献についての情報として、当該文献の文献名等の文献特定事項を格納するものである。
【００１１】
本願第３の発明に係る治療法選定支援システムでは、上記本願第１又は第２の発明に係る治療法選定支援システムにあって、上記の表示部６は、治療法検索部３が治療法情報格納部４を参照して特定した治療法についての情報を表示し、文献情報検索部５は、当該表示部に表示した治療法についての情報から、特定の治療法についての情報の指定を受け付けるものである。文献情報検索部５は、文献情報格納部４を参照して、上記にて指定された治療法の情報と対応する、各文献の情報を取得し、当該文献の情報を表示部６に表示させるものである。
【００１２】
本願第４の発明に係る治療法選定支援システムでは、上記本願第３の発明に係る治療法選定支援システムにあって、上記の文献情報格納部４は、上記文献特定事項と共に、当該文献について、他の治療法との優劣といった文献の記載内容についての情報と、文献自体の信頼性についての情報とを、文献選択の支援情報として格納する。上記の文献情報検索部５は、文献情報格納部４を参照して、治療法検索部３が特定した各識別子と対応する各文献の文献特定事項と共に、上記支援情報を取得し、当該文献特定事項と支援情報とを表示部６に表示させる。
【００１３】
本願第５の発明に係る治療法選定支援システムでは、上記本願第１乃至第４の発明に係る治療法選定支援システムにあって、上記の状況入力部１は、医薬投与療法の対象となる特定の疾患について、候補となる治療法の選定に必要な、患者の身体状況等の、療法特定事項の入力を受け付けるものである。治療法情報格納部２が格納する治療法についての情報は、医薬投与療法に関するものである。
【００１４】
本願第６の発明に係る治療法選定支援プログラムでは、コンピュータへ導入されることにより、状況入力部１と、治療法情報格納部２と、治療法検索部３と、文献情報格納部４と、文献情報検索部５と、表示部６とを構築するものである。状況入力部１は、候補となる治療法の選定に必要な、患者の身体状況等の、療法特定事項の入力を受け付けるものである。治療法情報格納部２は、各種治療法についての情報を格納する。治療法検索部３は、上記治療法特定事項の各入力パターンと対応する治療法について、治療法情報格納部２を参照して、該当する治療法の情報を特定する。文献情報格納部４は、治療法が記載された文献についての情報を格納する。文献情報検索部５は、文献情報格納部４を参照して、治療法検索部が特定した治療法の情報と対応する、各文献の情報を取得し、当該文献の情報を表示部６に表示させることを可能とする。
【００１５】
本願の上記第１〜６の発明にあっては、状況入力部１が受け付けた、患者の身体状況等の療法特定事項にて、治療法検索部３が、治療法情報格納部２を参照して、治療法に関する情報を特定する。そして、その治療法に関する文献についての情報を、文献情報検索部５が、文献情報格納部４を参照して特定し、表示手段６に表示させる。このため、医師の主観による治療法と無関係に、候補となる治療法が記載された文献についての情報を表示し、治療法についての客観的な情報を医師等のシステム利用者に知らしめることができる。
【００１６】
また、上記本願の第３の発明にあっては、表示部６に、治療法検索部３が治療法情報格納部２を参照して特定した治療法についての情報を表示させるものであるため、医師等の医療従事者が当該表示を見ることによって、治療法として候補となるものを、偏りなく、確認することができる。
特に、上記本願の第４の発明にあっては、文献特定事項と共に、文献情報格納部４が格納する、当該文献についての、他の治療法との優劣といった文献の記載内容についての情報と、文献自体の信頼性についての情報とを、表示部６に表示させるものであるため、表示部６に列挙された文献特定事項に係る文献や当該文献に記載された治療法について、重要度を医師等の医療従事者に知らせることができる。このため、医師等の医療従事者は、実際に目を通すべき文献を、効率よく調べることができる。
更に、本願の上記第５の発明では、医薬投与による治療を行うのに、適した治療法選定支援システムを提供し得たものである。
【００１７】
【発明の実施の形態】
以下、図面に基づき本願発明の実施の形態について説明する。
図１乃至図５へ、本願発明に係るシステムの一実施の形態を示す。
【００１８】
１．ハードウエア構成
この発明に係るシステムは、ＰＣ（パーソナル・コンピュータ）等のコンピュータと、治療法選定支援プログラム（システムソフトウエア）の協働によって実現されるものである。コンピュータには、Ｗｉｎｄｏｗｓ（登録商標）やＵＮＩＸ（登録商標）に代表されるＯＳ（オペレーティング・システム）が導入されたものを用い、上記管理プログラムは、当該ＯＳ上にてその機能を奏する。
以下、ソフトウエアのことを単にソフトと呼ぶ。
【００１９】
具体的には、コンピュータは、ＣＰＵなどの演算装置と、メモリやハードディスク等の記憶装置（内部記憶装置及び外部記憶装置）と、ディスプレイやプリンタなどの表示装置と、キーボードやマウスに代表される入力装置とを備える。
但し、各装置については、１台のコンピュータが備え或いは１台のコンピュータに付設されたものとしてもよいが、ＬＡＮ（ローカルエリア・ネットワーク）などのネットワークにて接続された複数のコンピュータによって実現されるものであっても実施可能である。
【００２０】
更に、本願発明に係るシステムは、ＡＳＰ（アプリケーション・サービス・プロバイダ）として、インターネットに代表される広域ネットワークに接続されたコンピュータにて構築され、利用者（ユーザー）によって、当該ネットワークに接続された他のコンピュータから利用されるものとしても実施可能である。
ここでは、１台のコンピュータにおいて、本願発明のシステムが構築されるものとして説明する。
【００２１】
２．システムの構成
図１に示す通り、この治療法選定支援システムＳは、コンピュータを利用して構成される、状況入力部１と、治療法情報格納部２と、治療法検索部３と、文献情報格納部４と、文献情報検索部５と、表示部６とを備える。
状況入力部１は、候補となる治療法の選定に必要な、患者の身体状況等の、療法特定事項の入力を受け付けるものである。
治療法情報格納部２は、各種治療法についての情報を格納する。
治療法検索部３は、上記治療法特定事項の各入力パターンと対応する治療法について、治療法情報格納部２を参照して、該当する治療法の情報を特定するものである。
文献情報格納部４は、治療法が記載された文献についての情報を格納する。
文献情報検索部５は、文献情報格納部４を参照して、治療法検索部３が特定した治療法の情報と対応する、各文献の情報を取得し、当該文献の情報を表示部６に表示させるものである。
【００２２】
状況入力部１は、システムソフトとコンピュータの上記入力装置と表示装置とにて構築される。治療法情報格納部２は、システムソフトとコンピュータの上記記憶装置とにて構築される。治療法検索部３は、システムソフトとコンピュータの上記演算装置と記憶装置とにて構築される。文献情報格納部４は、システムソフトとコンピュータの上記記憶装置とにて構築される。文献情報検索部５は、システムソフトとコンピュータの上記演算装置と記憶装置とにて構築される。表示部６は、システムソフトとコンピュータの上記表示装置とにて構築される。
【００２３】
３．システムの詳細
上記の状況入力部１は、特定の疾患について、候補となる治療法を選抜するのに必要な事項の、オペレータ（医師等の医療従事者）からの入力を受け付ける複数の治療法特定事項入力部と、治療法特定事項入力部に対応して、各特定事項の選択肢を保持する複数の特定事項テーブルとを備える。
治療法情報格納部２は、各種治療法の名称を、他の治療法と識別することが可能な識別子と共に格納する。
上記の治療法検索部３は、特定事項入力パターン保持部と、治療情報検索部と、検索結果保持部ｆとを備える。特定事項入力パターン保持部は、上記状況入力部１の治療法特定事項入力部が受け付けた各事項と対応する選択肢のデータを、各特定事項テーブルを参照して、取得し保持する。治療情報検索部は、全ての特定事項入力のパターンと対応する治療法情報格納部２中の治療法特定事項との関連を保持し、特定事項入力パターン保持部が保持する入力パターンと対応する治療法特定事項を治療法情報格納部２から取得し検索結果保持部ｆへ保持する。そして、当該検索結果（治療法特定事項）を、表示手段６にて表示する。
例えば、ある疾患に適用される複数の治療法について、患者の状況を示す３つの事項Ａ，Ｂ，Ｃを特定することによって、それらの治療法のいずれが候補として残るかの判定を行うことができるとした場合、システムは、この疾患の治療支援として特定事項テーブルを３つ備える。この特定事項テーブルについて、特定事項テーブルの１つは特定事項Ａについてａ１，ａ２の選択肢を保持し、特定事項テーブルの他の１つは特定事項Ｂについて選択肢ｂ１，ｂ２，ｂ３の選択肢を保持し、残りの１つの特定事項テーブルは特定事項Ｃについてｃ１，ｃ２の選択肢を保持するものとすれば、例えば、オペレータ（医療従事者）が、特定事項Ａについて選択肢ａ２を入力し、特定事項Ｂについて選択肢ｂ３を入力し、特定事項Ｃについて選択肢ｃ１を入力した場合、この（ａ２，ｂ３，ｃ１）という入力パターンを、特定事項入力パターン保持部が取得し、保持する。
そして、この（ａ２，ｂ３，ｃ１）というパターンに対応する治療法の識別子が、Ｘ１，Ｘ２，Ｘ３，Ｘ４，Ｘ５の５つあるとすれば、治療情報検索部は、治療法情報格納部２を検索して、当該識別子からこれら５つの治療法名を特定する。そして、表示手段６は、ディスプレイにこれらの治療法名を表示する。
尚、ここで例示に用いたＡ，Ｂ，Ｃ，ａ１，ａ２，ｂ１〜ｂ３，ｃ１，ｃ２，Ｘ１〜Ｘ５の各記号は、明細書でのみ用いるものであり、図面中にこれらの記号は記載されていない。
【００２４】
文献情報格納部４は、治療法情報格納部２が保持する治療法名の治療の、記載がある文献についての情報を保持する。この文献についての情報というのは、文献特定事項と、支援情報とにて構成される。即ち、文献情報格納部４は、具体的には、各文献について、文献名等の文献特定事項と共に、文献に記載されている当該治療法と他の治療法との比較、文献に記載されている総症例数、文献の信頼度（エビデンスレベル）などの支援情報を保持する。この実施の形態では、文献情報格納部４は、文献の記載内容をテキストデータとして保持している。
文献情報検索部５は、文献検索部と、文献情報保持部ｎとを有する。文献検索部は、治療法検索部３が特定した（検索結果保持部ｆに保持した）治療法名をキーワードとして、文献情報格納部４中の文献情報（テキストデータ）を検索し、該当する治療法名を有する文献を特定する。そして、特定した文献について、上記の、文献名等の文献特定事項、文献に記載されている当該治療法と他の治療法との比較、文献に記載されている総症例数、文献の信頼度（エビデンスレベル）を取得し、文献情報保持部ｎに保持すると共に、表示手段にて、ディスプレイの画面に表示し、更に必要に応じて、プリンタで用紙に印刷する。
【００２５】
４．システムの運用
以下、乳癌の治療のために医薬投与治療法を行う場合に、医師や薬剤師などの医療従事者が投与医薬の選定に本システムを利用する例を用いて、本システムの運用の流れを説明する。
Ａ）画面構成
図２及び図３へ表示手段６の表示（表示装置の画面）を示す。図２は、状況入力画面ｇ１（患者背景の入力画面）を示し、図３は、文献情報の検索結果の表示画面ｇ２を示す。
図２に示す通り、状況入力画面ｇ１は、入力受付部ｐ（患者状況入力欄）と、治療法表示部ｈ（薬物療法表示欄）とを備える。入力受付部ｐは、療法特定事項の入力を受け付ける複数の特定事項入力部ｐ１〜ｐ６（この実施の形態では、特定事項は、６項目であったので、特定事項入力部は、６つであるが、このような個数に限定するものではなく、疾患の種類に応じ、５つ以下でも、７つ以上でも実施可能である。）と、入力確定ボタンｒとを有する。
乳癌治療の場合、複数の乳癌治療のための薬剤投与療法の中で、適切な治療法の候補を挙げるのに、必要な項目は、治療状況ｐ１・ＥＲ／ＰｇＲ状況ｐ２・閉経状況ｐ３・腋窩リンパ節転移状況ｐ４・ＨＥＲ２状況ｐ５・病期ｐ６であるので、入力受付部ｐは、上記の通り、６つの特定事項入力部ｐ１〜ｐ６を備えるのである。
治療法表示部ｈは、治療法名表示部ｈ１と、文献信頼度表示部ｈ２とを有する。治療法名表示部ｈ１は、治療法名を表示する。文献信頼度表示部ｈ２は、治療法名表示部ｈ１に記載された文献の信頼度（エビデンスレベル）のうち最も高いものを示す。
【００２６】
図３に示す通り、検索結果の表示画面ｇ２は、画面ｇ１における特定事項入力部ｐ１〜ｐ６への入力内容を表示する入力表示部ｕと、医療文献に関する情報を表示する文献情報表示部ｗとを有する。
この実施の形態において、文献情報表示部ｗは、治療法名（薬物療法欄）と、当該治療法が記載された文献の文献特定事項（ここでは、研究論文を文献としているので、報告年次と著者名である。但し、このような特定事項に限定するものではなく、文献名或いは論文の表題にて文献を特定するものとしても実施可能である。）と、当該医療文献の信頼度（エビデンスレベル）と、医療文献中に記載された他の治療法との比較についての情報（比較対象１、比較対象２、比較対象３）、上記医療文献に記載された当該治療法の総症例数とを表示する。
上記医療文献の信頼度（エビデンスレベル）は、医療従事者等の複数の医療関係者が文献について、行った事前の評価に基づいて、各文献名と対応するように文献情報格納部４に格納されているのである。
【００２７】
Ｂ）システム利用の流れ
図４及び図５を用いて、上記のシステムの利用の流れについて、説明する。
図４に示す通り、システムＳを起動した後、初期画面（図示せず。）にて、医療従事者は、乳癌の治療支援の画面への移行を選択する（ステップｓ０）。これにて、システムＳは、図２へ示す画面を、表示手段６（表示装置）に表示させる（ステップ２）。最初に図２の画面に移行する際、印刷等の出力すべきデータをシステムは、取得していないので、上記ステップ２へ移行する前に、画面の初期化を行う（ステップ１）。
ステップ２において、システムは、上記特定事項入力部ｐ１〜ｐ６の夫々に対応する選択肢を特定事項テーブルｔ１〜ｔ６を参照して、特定事項入力部ｐ１〜ｐ６へ表示する。
患者から情報を得て、医師等の医療従事者は、ステップ１０において、入力装置を用いて、入力受付部ｐの特定事項入力部ｐ１〜ｐ６への入力を行う。具体的には、特定事項入力部ｐ１〜ｐ６が表示する各事項の選択肢について、該当する選択肢を医療従事者が選択（入力）する。
医療従事者が入力した選択肢の入力パターンは、特定事項入力パターン保持部ｙに記録される。
尚、上記の入力作業に、先立ち、医療従事者は、図２に示す画面を見て、上記選択肢の入力前に、前回検索した患者の状況の入力パターンが残っているか否かの判断を行う（判断ｍ）。残っていれば、上記の入力を行う必要はなく、特定事項入力パターン保持部ｙから入力パターンを復帰させればよい（ｓ３）。残っていない場合は、医療従事者は、上記の入力作業を行う。
入力をやりなおす場合、医療従事者は、図２に示す条件クリアボタンｃをクリックして、入力（選択）内容をクリアすることができる。
上記特定事項入力部ｐ１〜ｐ６の入力内容が確定すれば、医療従事者は、入力確定ボタンｒをマウス等の入力装置にてクリックする。
【００２８】
図５に示すとおり、上記の確定ポタンｒのクリックによる、患者の状況（患者背景）の入力確定（ステップｓ１０）により、システムは、ステップｓ１１に移行する。ステップｓ１１において、治療法検索部３は、治療法情報格納部２を参照して、取得した入力パターンと対応する治療法の識別子を検出する（判定ｍ２）。ここで、システムは、治療法情報格納部２に、該当する識別子がないと判定した場合、表示手段６にて、エラー表示ｅを行う。該当する識別子を発見した場合、システムＳは、治療法表示部ｈの治療法名表示部ｈ１に、候補となる治療法名（薬物療法名）の全てを表示する。医療従事者は、治療法表示部ｈを見ることによって、候補となる治療法を客観的に認識することができる。特に、文献信頼度表示部ｈ２を見ることによって、医療従事者は、候補として挙げられた治療法について、どの程度信頼性のある文献についての情報が得られるかを知ることができる。
【００２９】
表示手段６にて、治療法表示部ｈに表示された治療法名から、医療従事者は、文献情報の取得を望む治療法を指定する（ステップｓ１３）。この指定は、マウス等の入力装置にて、画面ｇ２の治療法表示部ｈ中の情報を求める治療法名をクリックすることにより行う。
この指定により、文献情報検索部５は、治療法検索部３の検索結果保持部ｆの保持するデータを用いて、当該データ（治療法名）と合致する文献を、文献情報格納部４を参照して検出する。そして、文献情報検索部５は、検出した結果を、文献情報保持部ｎに保持すると共に、表示手段６にて、画面ｇ２に表示し、文献情報表示部ｗに表示する。
医療従事者は、文献情報表示部ｗを見て、上記にて選択した治療法について、当該治療法が掲載された文献についての情報、即ち、文献特定事項、文献の信頼度、文献に記載れている総症例数、文献に記載されている当該治療法と他の治療法との比較情報による治療法間の優劣を知ることができる。
これらの情報から、医療従事者は、実際に読むべき文献がどれかを判断することができるのである。
【００３０】
上記において、治療法情報格納部２は、治療法を特定するため情報として、治療法の名称を保持するものであったが、この他、治療法情報格納部２は、文献の内容は要約（サマリ）を保持し、治療法検索部３は、状況入力部１で受け付けた特定事項をキーワードとして、上記文献内容或いは要約から、これらのキーワードを含むものを検索するものとし、治療名を表示するものとしても実施することも可能である。
【００３１】
【発明の効果】
本願の上記第１〜６の発明の実施によって、医師や薬剤師などの医療従事者の、治療法を選定するための情報収集において、収集の客観性を担保し、治療法についての医師等の主観による治療法選定の偏りを抑制し、最適な治療の選択を可能とした。即ち、医療文献という客観的な情報源の存在を医師等の医療従事者に知らしめると共に、当該文献の検索に当たって、医師の主観による文献調査の偏りを排除した。
Ｅｖｉｄｅｎｃｅ−ｂａｓｅｄ  Ｍｅｄｉｃｉｎｅ  （ＥＢＭ）実践の第一歩は、患者の抱えている臨床的問題を医学論文で扱われているテーマあるいは研究課題に合うような形にすることであり、その次のステップは文献の検索である。本願の第１〜６の発明は、とりわけ、このようなＥＢＭを実践するのに適した、客観的な根拠を医師等の医療従事者に提供可能な、治療法選定支援システム及びそのプログラムを実現した。
【図面の簡単な説明】
【図１】本願発明に係るシステムの全体を示す説明図である。
【図２】上記システムの表示部６が表示する画面の説明図である。
【図３】上記システムの表示部６が表示する画面の説明図である。
【図４】上記システムのフロー（流れを示す）説明図である。
【図５】上記システムのフロー（流れを示す）説明図である。
【符号の説明】
１    状況入力部
２    治療法情報格納部
３    治療法検索部
４    文献情報格納部
５    文献情報検索部
６    表示部
【図１】
2004302771.tif 000003
【図２】
2004302771.tif 000004
【図３】
2004302771.tif 000005
【図４】
2004302771.tif 000006
【図５】
2004302771.tif 000007